(57)【要約】【課題】基板ケースの裏側を視認可能にしても、製造コストが増大することがない遊技機の提供。【解決手段】副基板ケース30における前扉３の回動中心から遠い方の側縁30A を近い方の側縁30B よりも基板ケース取付部3Bから離して固定することによって、副基板ケース30を基板ケース取付部3Bに斜めに取り付け、前扉３を開くと、副基板ケース30の背面31が視認可能とし、さらに、副基板ケース30の内部に設けられた副制御基板８の裏面8Bも視認可能にする。この際、副基板ケース30を基板ケース取付部3Bに取り付ける取付構造が簡単な構造となるので、副基板ケース30の裏側を視認可能にしても、スロットマシン１の製造コストを何ら増大させることない。【選択図】    図３
2014027972.tif 000002
【特許請求の範囲】
【請求項１】
遊技動作を行う遊技装置と、この遊技装置を内部に収納する六面体の箱状に形成されているとともに、遊技者側に臨む前面が開口となっている筐体と、この筐体の前面の開口を塞ぐ前扉と、前記遊技装置を制御する制御回路が形成されている制御基板と、この制御基板を内部に収納する箱状に形成されている基板ケースとを備えた遊技機であって、
当該遊技機の内部空間を囲む前記筐体の内面、及び、前記前扉の内面である前記前扉の背面のいずれかには、前記基板ケースが取り付けられる基板ケース取付部が設けられ、
前記基板ケースは、前記基板ケース取付部に臨む背面が視認可能となるように、当該基板ケースの互いに対向する一対の側縁のうち、一方の側縁を他方の側縁よりも前記基板ケース取付部から離れた位置に固定することにより、前記基板ケース取付部に対して斜めとなった状態で、前記基板ケース取付部に取り付けられていることを特徴とする遊技機。
【請求項２】
前記前扉は、前記筐体の開口を開放する開放位置及び前記筐体の開口を閉鎖する閉鎖位置の二位置の間を回動可能に前記筐体に取り付けられ、
前記基板ケース取付部は、前記前扉の内面である前記前扉の背面に設けられ、
前記基板ケースは、前記一対の側縁のうち、前記前扉の回動中心から遠い方の側縁が近い方の側縁よりも前記基板ケース取付部から離れた位置に固定されることにより、前記基板ケース取付部に対して斜めとなった状態とされ、前記前扉を開けると、その背面が視認可能となるように前記基板ケース取付部に取り付けられていることを特徴とする請求項１に記載の遊技機。
【発明の詳細な説明】
【技術分野】
【０００１】
本発明は、遊技動作を行う遊技装置と、この遊技装置を内部に収納する六面体の箱状に形成されているとともに、遊技者側に臨む前面が開口となっている筐体と、この筐体の前面の開口を塞ぐ前扉と、前記遊技装置を制御する制御回路が形成されている制御基板と、この制御基板を内部に収納する箱状に形成されている基板ケースとを備えた遊技機に関するものである。
【背景技術】
【０００２】
従来から、スロットマシン等の遊技機は、遊技を行うのに必要な遊技装置、遊技装置の動作を制御する制御回路を有する主制御装置、遊技の演出を行う液晶表示装置等の演出装置の動作を制御する制御回路を有する副制御装置、及び、遊技装置及び制御基板に電力を供給する電源装置等を備えたものとなっている。
このうち、主制御装置及び副制御装置等の制御装置は、遊技動作を制御するプログラムを記憶したＲＯＭ、及び、高速演算機能を有するＬＳＩ等からなるＣＰＵ等のハードウェアを備え、ＲＯＭに記憶されたプログラム等のソフトウェアをＣＰＵで実行することで制御を行うものとなっている。
このため、メダル等の遊技媒体を容易に獲得することができる不正なプログラムが書き込まれたＲＯＭに交換されると、多量の遊技媒体が不正に獲得されてしまう。
【０００３】
このような不正行為を防止するために、制御装置の主要部である制御回路が形成された回路基板を収納する箱状の基板ケースを設け、内部に回路基板を入れて閉じた基板ケースを封止ピン等で封止するようにしている。
ここで、基板ケースを封止する封止ピンとして、その頭部に管理用データが刻印された特殊ピンを採用した基板ケースが提案されている（例えば、特許文献１参照）。
このような特殊ピンを基板ケースの封止に利用すれば、特殊ピンを破壊して、基板ケースを開放すると、その後、破壊した特殊ピンで基板ケースを封止することができず、別の特殊ピンを利用して、基板ケースの封止を行うと、頭部の管理用データが相違するので、頭部の管理用データの適否を確認すれば、基板ケースが不正に開放されたことを速やかに把握することができる。
なお、特殊ピンの頭部に管理用データを刻印するにあたり、レーザー光線で刻印を行う刻印装置を利用すれば、特殊ピンで基板ケースを封止した後、基板ケースを封止している特殊ピンの頭部に、直接、管理用データを刻印することができる。
【０００４】
一方、前述のような基板ケースでは、通常は隠れている基板ケース裏側の底面に孔等を開けて、基板ケースの裏側から、基板ケース側の封止部位を破壊すれば、特殊ピンを破壊することなく、基板ケースを開放することができ、しかも、表側から視認したのでは、基板ケースの破壊部分が確認しづらく、基板ケースの不正開放を見過ごすおそれがある、という問題がある。
この問題を解決するために、基板ケースの側面に支持軸を突設し、この支持軸を回転自在に支持する支持アームを遊技機側に設け、この支持アームに基板ケースを揺動可能に支持させ、基板ケースの揺動によって、基板ケース裏側の底面を正面側に向け、基板ケースの裏側を直接視認できるようにし、これにより、基板ケースの裏側に形成された破壊部分を容易に視認可能とし、基板ケースの不正開放を確実に発見できるようにした遊技機が知られている（例えば、特許文献２参照）。
【先行技術文献】
【特許文献】
【０００５】
【特許文献１】特開平１１−７６５６９号公報
【特許文献２】特開２０１０−２４００６６号公報
【発明の開示】
【発明が解決しようとする課題】
【０００６】
前述のように、基板ケースの裏側を視認可能とするために、基板ケースを揺動可能に支持したのでは、基板ケースの支持構造が複雑となり、遊技機の製造コストを増大させる、という問題がある。
【０００７】
本発明は、以上のような課題に鑑みてなされたものであり、その目的とするところは、基板ケースの裏側を視認可能ににしても、製造コストが増大しない遊技機を提供することにある。
【課題を解決するための手段】
【０００８】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【０００９】
（請求項１）
（特徴点）
請求項１記載の発明は、次の点を特徴とする。
すなわち、請求項１に記載された発明は、遊技動作を行う遊技装置(4E)と、この遊技装置(4E)を内部に収納する六面体の箱状に形成されているとともに、遊技者側に臨む前面が開口となっている筐体(２)と、この筐体(２)の前面の開口を塞ぐ前扉(３)と、前記遊技装置(4E)を制御する制御回路が形成されている制御基板(８)と、この制御基板(８)を内部に収納する箱状に形成されている基板ケース(30)とを備えた遊技機であって、当該遊技機の内部空間を囲む前記筐体(２)の内面、及び、前記前扉(３)の内面である前記前扉(３)の背面のいずれかには、前記基板ケース(30)が取り付けられる基板ケース取付部(3B)が設けられ、前記基板ケース(30)は、前記基板ケース取付部(3B)に臨む背面(31)が視認可能となるように、当該基板ケース(30)の互いに対向する一対の側縁(30A, 30B)のうち、一方の側縁(30A) を他方の側縁(30B) よりも前記基板ケース取付部(3B)から離れた位置に固定することにより、前記基板ケース取付部(3B)に対して斜めとなった状態で、前記基板ケース取付部(3B)に取り付けられていることを特徴とする。
【００１０】
（請求項２）
（特徴点）
請求項２記載の発明は、前述した請求項１に記載の発明において、次の特徴点を備えているものである。
すなわち、請求項２記載の発明は、前記前扉(３)は、前記筐体(２)の開口を開放する開放位置及び前記筐体(２)の開口を閉鎖する閉鎖位置(α)の二位置の間を回動可能に前記筐体(２)に取り付けられ、前記基板ケース取付部(3B)は、前記前扉(３)の内面である前記前扉(３)の背面に設けられ、前記基板ケース(30)は、前記一対の側縁(30A, 30B)のうち、前記前扉(３)の回動中心から遠い方の側縁(30A) が近い方の側縁(30B) よりも前記基板ケース取付部(3B)から離れた位置に固定されることにより、前記基板ケース取付部(3B)に対して斜めとなった状態とされ、前記前扉(３)を開けると、その背面(31)が視認可能となるように前記基板ケース取付部(3B)に取り付けられていることを特徴とする。
【発明の効果】
【００１１】
（請求項１の効果）
以上のように構成されている本発明は、以下に記載されるような効果を奏する。
すなわち、請求項１記載の発明によれば、遊技機の内部空間を囲む筐体の内面、及び、前扉の背面のいずれかに、基板ケースが固定される基板ケース取付部を設け、且つ、基板ケースの互いに対向する一対の側縁のうち、一方の側縁を他方の側縁よりも基板ケース取付部から離して固定し、これにより、基板ケース取付部に対して基板ケースを斜めに取り付けたので、基板ケースにおける基板ケース取付部に臨む背面は、基板ケース取付部から斜めに浮いた状態となる。
ここで、遊技機の内部空間の両側、又は、上下に配置されている筐体の内面に、基板ケースを固定する場合、基板ケースにおける基板ケース取付部から離れた方の側縁を筐体の開口側に配置するとともに、この端縁と対向するとともに基板ケース取付部に近接する方の側縁を筐体の奥側に配置すれば、筐体の開口側から内部を観察する際に、基板ケースの背面が筐体の開口側から視認可能となる。
また、遊技機の内部空間の奥に配置された背面側の内面に、基板ケースを固定する場合、基板ケースにおける基板ケース取付部から離れた方の側縁の近傍に、鏡面を傾斜させた状態の鏡を配置し、且つ、この鏡の傾斜角度を適宜設定すれば、筐体の開口側から内部を観察する際に、基板ケースの背面が鏡に映り、これにより、基板ケースの背面が筐体の開口側から視認可能となる。
さらに、前扉の背面に基板ケースを固定する場合、基板ケースにおける基板ケース取付部から離れた方の側縁を、前扉の回動中心から遠い位置に配置すれば、基板ケース取付部及び基板ケースの交差する一対の面が、前扉の回動軌道における径方向外側に向かって開き、筐体の開口を閉鎖する位置からほぼ直角となる回動位置まで、前扉を回動すると、基板ケース取付部及び基板ケースの交差する一対の面が、遊技機の正面側を向き、これにより、基板ケースの背面が視認可能となる。
従って、遊技機の内部空間を囲む筐体の内面、及び、前扉の背面のいずれかに、基板ケースを傾斜させた状態で固定するという簡単な取付構造で、基板ケースの背面が視認可能となり、基板ケースの裏側を視認可能ににしても、遊技機の製造コストを何ら増大することがなく、これにより、前記目的が達成される。
【００１２】
（請求項２の効果）
請求項２記載の発明によれば、上記した請求項１記載の発明の効果に加え、次のような効果を奏する。
すなわち、請求項２記載の発明によれば、基板ケースは、一対の側縁のうち、前扉の回動中心から遠い方の側縁が近い方の側縁よりも基板ケース取付部から離れた位置に固定されるので、前述したように、基板ケース取付部及び基板ケースの交差する一対の面が、前扉の回動軌道における径方向外側に向かって開き、筐体の開口を閉鎖する位置からほぼ直角となる回動位置まで、前扉を回動すると、基板ケース取付部及び基板ケースの交差する一対の面が、遊技機の正面側を向き、これにより、簡単な取付構造で、基板ケースの背面を視認可能とすることができる。
【図面の簡単な説明】
【００１３】
【図１】本発明の一実施形態に係るスロットマシンを示す正面図である。
【図２】前記実施形態に係る筐体内部を示す正面図である。
【図３】前記実施形態に係るスロットマシンを示す前扉開放状態の平面図である。
【図４】前記実施形態に係る副基板ケース廻りを示す平面図である。
【図５】本発明の変形例を説明するための斜視図である。
【図６】本発明の変形例の要部を示す平断面である。
【発明を実施するための形態】
【００１４】
以下に、本発明を実施するための形態である実施形態について、図面を参照しながら説明する。
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組み合わせとなるように、回転している回転リール11を停止させる遊技を行うものである。このスロットマシン１には、図１に示すように、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
【００１５】
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
ここで、上部パネル部４及び下部パネル部５は、意匠的に優れた外観を確保するために、合成樹脂製の化粧板が表面に張り付けられたものとなっている。
【００１６】
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄（図示略）が記されている。そして、各回転リール11の図柄は、筐体２の外部から表示窓4Aを通して目視可能となっている。
【００１７】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の上側における両角近傍には、正面形状が湾曲した帯状に形成されるとともに、漢数字の「八」を描く一対の演出用照明装置4Cが設けられている。これらの演出用照明装置4Cの各々は、その上端部が演出用照明装置4Bの端部近傍に配置されるとともに、その下端側の部分が上部パネル部４の側縁へ向かって斜め下方に延びたものとなっている。
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、無色透明のレンズの内部に配置された高輝度フルカラー発光ダイオード等の光源を備え、遊技の進行に応じて、その光源の点灯、点滅又は発光色の変更動作により、遊技における視覚的な演出効果を高めるものである。
【００１８】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
【００１９】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップスイッチ7Dが設けられている。これら三個のストップスイッチ7Dのうち、左端に配置されているストップスイッチ7Dの左斜め上方には、一度の操作で最大枚数のメダルを賭けることができるマックスベットスイッチ7Eが設けられている。
また、左端のストップスイッチ7Dの左方であって、マックスベットスイッチ7Eの左斜め下方の位置には、三個の回転リール11を一斉に回転させる際に操作されるスタートスイッチ7Fが設けられている。このスタートスイッチ7Fの左斜め上方には、１回の操作で貯留されているメダルを１枚賭けることのできる、換言すると、メダルを１枚ずつ賭ける際に操作されるシングルベットスイッチ7Gが設けられている。
さらに、シングルベットスイッチ7Gの左斜め下方には、精算時に貯留されているメダルを払い出させる精算スイッチ7Hが設けられている。
【００２０】
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２１】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた図示しない主制御基板を内蔵する主基板ケース20、三個の回転リール11が回転自在に支持するとともに、これらの回転リール11のそれぞれを駆動する図示しないモータを備えたリールユニット10、内部に多数のメダルを貯留させる容器部12Aを備えるとともに受皿部6Aに向かってメダルを排出するホッパユニット12、及び、これらの装置に電力を供給する電源装置13等が設けられている。
【００２２】
このうち、リールユニット10は、それぞれが円筒状に形成された複数の回転リール11を有するものである。そして、これらの回転リール11の各外周面には、特に図示していないが、複数種類の図柄が記されている。
前扉３の裏側の面には、表側の面に配置された液晶表示装置4Eに対応して、液晶表示装置4E、演出用照明装置4B〜4D及び音声出力部4F, 6Cの動作を制御する副制御基板８（図４参照）を内蔵する副基板ケース30が設けられている。
また、前扉３の裏側の面には、表側の面に開口されたメダル投入口7Bに対応して、投入されたメダルの適否を判定するメダルセレクタ14が設けられている。
【００２３】
以上において、液晶表示装置4Eは、遊技動作としての演出動作を行うものであり、スロットマシン１に設けられた遊技装置のうちの一つである。
また、図示しない副制御基板は、遊技装置としての液晶表示装置4Eを制御する制御回路が形成されている制御基板である。そして、副基板ケース30は、制御基板としての副制御基板を内部に収納する箱状に形成された基板ケースとなっている。
さらに、筐体２は、副基板ケース30を前扉３の背面3Aに取り付けられた遊技装置としての液晶表示装置4Eを内部に収納する六面体の箱状に形成されているとともに、遊技者側に臨む前面が開口となっている部材となっている。
【００２４】
以上のようなスロットマシン１は、遊技者がベット操作を行った後に、スタートスイッチ7Fを操作することにより、複数の回転リール11が回転を開始し、この後、遊技者が複数のストップスイッチ7Dを操作して、所定の図柄の組み合わせを示す位置に複数の回転リール11を停止させることができた場合に入賞となって、入賞した役に対応する枚数のメダルを遊技者に払い出すように形成されている。
【００２５】
以上において、副基板ケース30は、図２の如く、前扉３の背面3Aに取り付けられるものである。換言すると、前扉３の背面3Aには、副基板ケース30が取り付けられる基板ケース取付部3Bが設けられている。なお、前扉３の背面3Aは、遊技機であるスロットマシン１の内部空間を囲む前扉の内面となっている。
また、副基板ケース30の正面形状は、図２中左右に対向する側縁30A, 30Bが平行とされ、図２中上下に対向する側縁30C, 30Dが平行とされ、且つ、側縁30A, 30Bと側縁30C, 30Dとの交差角度がほぼ９０度になった長方形状となっている。
【００２６】
前扉３の背面3Aに設けられた基板ケース取付部3Bには、図３に示すように、副基板ケース30が傾斜して取り付けられ、これにより、副基板ケース30は、前扉３の背面3Aに対しても傾斜して前扉３の背面3Aに取り付けられている。
さらに詳しく説明すると、副基板ケース30は、互いに対応する一対の側縁30A, 30Bのうち、前扉３の回動中心から遠い方の側縁30A が近い方の側縁30B よりも基板ケース取付部3Bから離れた位置に固定されている。
【００２７】
これにより、基板ケース取付部3B及び副基板ケース30の交差する一対の面3C, 31が、前扉３の回動軌道における径方向外側に向かって開くように配置されている。なお、副基板ケース30における基板ケース取付部3Bの面3Cと対向する面は、副基板ケース30の背面31となっている
以上において、前扉３は、筐体２の開口を閉鎖する閉鎖位置α、及び、筐体２の開口を開放するとともに、閉鎖位置αからほぼ１８０度回動した回動角度位置である図示しない開放位置の二位置の間を回動可能に筐体２に取り付けられている。
ここで、前扉３は、閉鎖位置αから開放位置に達するまでの間に、閉鎖する閉鎖位置αから９０度回動した回動角度位置である回動位置βを通過するようになっている。
【００２８】
そして、副基板ケース30は、筐体２の開口を閉鎖する閉鎖位置αからほぼ直角となる回動位置βまで、前扉３が回動されると、基板ケース取付部3B及び副基板ケース30の交差する一対の面3C, 31が、スロットマシン１の正面側を向いて開くようになっている。
そして、副基板ケース30は、前述の如く、基板ケース取付部3Bに対して斜めとなった状態とされ、前扉３を開けて回動位置βに配置すると、その背面31が視認可能となるように基板ケース取付部3Bに取り付けられている。
【００２９】
（副基板ケース30の取付構造40）
次に、上述のように副基板ケース30を基板ケース取付部3Bに取り付ける取付構造40について説明する。
すなわち、副基板ケース30は、図４に示すように、前述した副制御基板８を内部に収納した箱状の部材である。また、副基板ケース30は、副制御基板８がネジ8Aで取り付けられているベース部32と、副制御基板８が取り付けられたベース部32を副制御基板８とともに上方から覆う蓋部33とに分離可能となったものである。
【００３０】
一方、前扉３側の基板ケース取付部3Bには、副基板ケース30の側縁30A 近傍の部位を支持する支柱41と、副基板ケース30の側縁30B 近傍の部位を支持する支柱42とが設けられている。
支柱41及び支柱42のうち、前扉３の回動中心から遠い方の支柱41が、前扉３の回動中心に近い方の支柱42よりも長い（背の高い）ものとなっている。
副基板ケース30は、長短二種類の長さの支柱41及び支柱の先端に固定されることで、基板ケース取付部3Bに対して傾斜した状態で、当該基板ケース取付部3Bに取り付けられるようになっている。
【００３１】
また、支柱41及び支柱42のそれぞれの先端面41A, 42Aは、支柱41及び支柱42の長手方向に対して直交する面ではなく、基板ケース取付部3Bに対する副基板ケース30の傾斜角度に応じて、支柱41及び支柱42の長手方向に対して傾斜した先端面41A, 42Aとなっている。
これらの先端面41A, 42Aのそれぞれには、支柱41及び支柱42の延出方向に沿って突出したボス41B, 42Bが設けられている。
【００３２】
一方、副基板ケース30側のベース部32には、支柱41及び支柱42側のボス41B, 42Bを内部に挿通させるボス挿通孔32A, 32Bが設けられている。
また、副基板ケース30側の蓋部33には、ベース部32側のボス挿通孔32A, 32Bの位置に対応して配置されるとともに、ボス挿通孔32A, 32Bの先端面に底面が当接する凹部33A, 33Bが設けられている。
【００３３】
副基板ケース30は、凹部33A, 33Bのそれぞれの底部を貫通したネジ34をボス挿通孔32A, 32Bに螺合させることによって、支柱41, 42の先端に固定されるようになっている。
また、副基板ケース30を支柱41, 42に固定するネジ34の頭部は、副基板ケース30側の蓋部33に形成された凹部33A, 33Bの内部に収納されるとともに、凹部33A, 33Bの内部にきつく嵌合したカシメ部材35によって密封されるようになっている。
副基板ケース30の取付構造40は、前述のような支柱41，42を含んで構成されている。
【００３４】
このような取付構造40により、副基板ケース30は、前述したように、前扉３の回動中心から遠い方の側縁30A が近い方の側縁30B よりも基板ケース取付部3Bから離れた位置に固定され、基板ケース取付部3B及び副基板ケース30の交差する一対の面3C, 31は、前扉３の回動軌道における径方向外側に向かって開くように配置されている。
ここで、副基板ケース30は、全体が透明な合成樹脂で形成されており、前扉３を開けて回動位置βまで回動させると、副基板ケース30の背面31が視認可能となり、且つ、背面31を形成する底板部36を通じて、副制御基板８の裏面8Bが視認可能となっている。
【００３５】
前述のような本実施形態によれば、次のような効果が得られる。
すなわち、前扉３の背面3Aに、副基板ケース30が固定される基板ケース取付部3Bを設け、この基板ケース取付部3Bに長さの異なる支柱41及び支柱42を設け、さらに、これらの支柱41及び支柱の先端で副基板ケース30を支持し、副基板ケース30における前扉３の回動中心から遠い方の側縁30A を近い方の側縁30B よりも基板ケース取付部3Bから離して固定し、これにより、基板ケース取付部3B及び副基板ケース30の交差する一対の面3C, 31が、前扉３の回動軌道における径方向外側に向かって開くように、基板ケース取付部3Bに副基板ケース30を斜めに取り付け、筐体２の開口を閉鎖する閉鎖位置αからほぼ直角となる回動位置βまで、前扉３を回動すると、基板ケース取付部3B及び副基板ケース30の交差する一対の面3C, 31が、スロットマシン１の正面側を向き、これにより、副基板ケース30の背面31が視認可能となり、副基板ケース30の内部に設けられた副制御基板８の裏面8Bを視認可能にすることができる。
従って、スロットマシン１における前扉３の背面3Aに、副基板ケース30を傾斜させた状態で固定するという簡単な取付構造40で、副基板ケース30の背面31が視認可能となるので、スロットマシン１の製造コストを何ら増大させることなく、副基板ケース30の裏側を視認可能にでき、副制御基板８の裏面8Bを視認可能にすることができる。
【００３６】
なお、本発明は、前記実施形態に限定されるものではなく、本発明の目的を達成できる範囲における変形及び改良などをも含むものである。
例えば、基板ケースとしては、液晶表示装置の動作を制御する副制御基板を収納する副基板ケースに限らず、リールユニットの動作を制御する主制御基板を収納する主基板ケースでもよく、要するに、遊技機の遊技に係る遊技装置の動作を制御する制御基板を収納する基板ケースであればよい。
【００３７】
また、基板ケース取付部の設置箇所としては、前扉３の背面3Aに限らず、スロットマシン１の内部空間を囲む筐体２の内面でもよい。
具体的には、筐体２は、図５に示すように、正面が開口された略六面体の箱状に形成されたものである。この筐体２には、開口の両側に配置された側板部51, 52と、開口の上方に配置された天板部53と、開口の下方に配置された底板部54と、筐体２の背面を塞ぐ背板部55とが設けられている。
【００３８】
このような筐体２に対して、基板ケース21が取り付けられる基板ケース取付部37を設けるにあたり、基板ケース取付部の設置箇所としては、側板部51の内側の側面2A、側板部52の内側の側面2B、天板部53の下面2C、底板部54の上面2D、及び、背板部55の内側の側面2Eのいずれかを適宜選択することができる。
【００３９】
基板ケース取付部の設置箇所として、側板部51の内側の側面2A、側板部52の内側の側面2B、天板部53の下面2C、及び、底板部54の上面2Dのいずれかを選択した場合、基板ケース取付部37及び基板ケース21の交差する一対の面38, 39が、筐体２の開口側を向くように配置すれば、基板ケース21の内部に収納された制御基板の裏面の視認及び観察が容易に行えるようになる。
【００４０】
基板ケース取付部の設置箇所として、背板部55の内側の側面2Eを選択した場合、そのままでは、基板ケース21の内部に収納された制御基板の裏面の視認が困難なので、図６に示すように、基板ケース取付部37及び基板ケース21の交差する一対の面38, 39の開いた端縁近傍に、鏡56を設け、この鏡56の傾斜角度を適宜設定すれば、基板ケース21の内部に収納された制御基板の裏面の視認及び観察が容易に行えるようになる。
【００４１】
さらに、基板ケースを基板ケース取付部に取り付ける取付構造としては、長短二種類の支柱41及び支柱42が別体となった取付構造40に限らず、例えば、図６の如く、長短二種類の支柱61及び支柱62が一体的に形成された取付具63で、基板ケース21を基板ケース取付部37に取り付ける取付構造60でもよい。
また、遊技機としては、スロットマシンに限らず、遊技球を遊技媒体として利用するパチンコ機でもよく、要するに、本発明は、制御基板を内蔵する基板ケースが設けられている遊技機全般に適用することができる。
【符号の説明】
【００４２】
1        遊技機としてのスロットマシン
2        筐体
3        前扉
3B       基板ケース取付部
4E       遊技装置としての液晶表示装置
8        制御基板としての副制御基板
21        基板ケース
30        基板ケースとしての副基板ケース
30A       側縁
30B       側縁
31        背面
37        基板ケース取付部
α        閉鎖位置
【図１】
2014027972.tif 000003
【図２】
2014027972.tif 000004
【図３】
2014027972.tif 000005
【図４】
2014027972.tif 000006
【図５】
2014027972.tif 000007
【図６】
2014027972.tif 000008